(57)【要約】【課題】シンプルで制御が容易な放射状ブラシを提供することを目的とする。【解決手段】放射状ブラシ（１）をブラシ床（３）と、複数のブラシ体（７）と、から構成する。当該ブラシ床は、実質的に半球形状の植毛面と、当該植毛面上に相互に周方向所定間隔を隔てた複数の仮想経線の上に各々配された床側取付け構造（１１）と、を備えている。当該ブラシ体の各々は、当該床側取付け構造に取り付けるためのブラシ側取付け構造を有するブラシ基部（２１）と、当該ブラシ基部から放射状に延びるブラシ毛群（２３）を備え、当該床側取付け構造の各々に、当該ブラシ側取付け構造を取付けることにより当該ブラシ床に当該ブラシ体を固定してある。放射状ブラシは、２個を一体化させたものでもよい。放射状ブラシを柄部（９５）の一端に回転自在に取付け、歯ブラシ等として使用してもよい。【選択図】図９
2016093471.tif 000002
【特許請求の範囲】
【請求項１】
ブラシ床と、複数のブラシ体と、を有する放射状ブラシであって、
当該ブラシ床は、実質的に半球形状の植毛面と、当該植毛面上に相互に周方向所定間隔を隔てた複数の仮想経線に沿って設けられた複数の床側取付け構造と、を備え、
当該ブラシ体の各々は、当該床側取付け構造各々に対応するブラシ基部と、当該ブラシ基部から放射状に延びるブラシ毛群と、当該床側取付け構造との協働により当該ブラシ体を当該ブラシ床に取付けるためのブラシ側取付け構造と、を備えている、
ことを特徴とする放射状ブラシ。
【請求項２】
前記床側取付け構造各々は、前記仮想経線各々に沿って形成された複数の取付け溝を含めて構成され、かつ、
前記ブラシ側取付け構造各々は、当該取付け溝に圧入可能な扇形状の前記ブラシ基部により構成されている
ことを特徴とする請求項１記載の放射状ブラシ。
【請求項３】
前記ブラシ基部は、前記取付け溝に圧入された状態で、固定手段により前記ブラシ床に固定されている
ことを特徴とする請求項１または２記載の放射状ブラシ。
【請求項４】
前記ブラシ毛群は、前記ブラシ基部の両端近傍部位におけるブラシ毛密度が当該両端近傍部位以外の部位におけるブラシ毛密度よりも疎となるように構成されている
ことを特徴とする請求項１ないし３いずれか記載の放射状ブラシ。
【請求項５】
前記ブラシ毛群は、合成樹脂製のブラシ毛素線の集合体であって、
前記ブラシ基部は、ブラシ毛群の一端を溶着することにより形成されている
ことを特徴とする請求項２ないし４いずれか記載の放射状ブラシ。
【請求項６】
前記ブラシ基部の扇形状の内周面及び両端面には、それぞれ機械的な切断跡が存する
ことを特徴とする請求項４または５記載の放射状ブラシ。
【請求項７】
前記ブラシ基部には、長さ方向に間隔を隔て厚み方向に貫通する複数の貫通孔または反放射方向に開口する切欠きが形成され、
前記ブラシ毛群は、ブラシ毛素線の集合体であって、当該ブラシ毛素線の小束を当該貫通孔または切欠きの各々に貫通させた状態で略Ｕ字状または略コの字状となるように両端を前記放射方向に折り曲げたまま前記ブラシ基部に固定する固定構造を備える
ことを特徴とする請求項２記載の放射状ブラシ。
【請求項８】
前記固定構造は、前記ブラシ毛素線の集合体それぞれを両面から押え固定するために前記ブラシ基部に嵌合した断面略Ｕ字状の押え部材を備え、
当該押え部材は、前記ブラシ基部に嵌合させた状態で前記取付け溝に圧入可能な半円形状に構成されている
ことを特徴とする請求項７記載の放射状ブラシ。
【請求項９】
前記ブラシ基部各々は、扇形状のブラシ基部本体と、前記ブラシ毛群を並列状態で保持するブラシ保持部材を備え、
当該ブラシ基部本体各々の放射方向側には、円周方向に延びる溝底と当該溝底両端から対向起立する両側壁に囲まれた取付け溝が形成され、
当該ブラシ保持部材各々は、当該取付け溝各々の溝底上に設置可能に形成され、
前記ブラシ毛群は、当該ブラシ保持部材が当該溝底上に設置された際に両先端が放射方向に向くように当該両側壁に案内される
ことを特徴とする請求項１記載の放射状ブラシ。
【請求項１０】
前記ブラシ毛保持部材各々は、一方のベルト層と他方のベルト層の２層を積層してなり、前記ブラシ毛群は当該一方のベルト層と他方のベルト層とのの間に配されている
ことを特徴とする請求項９記載の放射状ブラシ。
【請求項１１】
前記ブラシ毛保持部材各々は、溶着もしくは接着層を介し前記ブラシ毛群に固定されている
ことを特徴とする請求項１０記載の放射状ブラシ。    
【請求項１２】
前記ブラシ基部各々は、さらに、固定部材を含み、
当該固定部材は、略U字状のU字部材本体と、当該U字部材本体の両先端部位から互いに向かい合って突出して前記ブラシ側取付け構造として機能する一対の係合爪を含めて構成され、
前記床側取付け構造各々は、前記ブラシ基部各々が取付けられた際に当該両係合爪と係合する一対の係合孔を含めて構成されている
ことを特徴とする請求項９ないし１２いずれか記載の放射状ブラシ。
【請求項１３】
前記Ｕ字部材本体各々には、前記両係合爪の内側の中間部位に、互いに向かい合って突出する一対の係止爪が形成され、
当該一対の係止爪は、前記ブラシ基部本体の反放射方向側の端面に当接することにより前記ブラシ保持部材を前記ブラシ基部本体に固定するように構成されている
ことを特徴とする請求項１２記載の放射状ブラシ。
【請求項１４】
脇固定
前記ブラシ基部各々は、溝底と当該溝底両端から対向起立する両側壁に囲まれた取付け溝と、当該取付け溝各々の溝底上に設置されるブラシ保持部材と、を備え、
当該ブラシ保持部材は扇形状の両面を有する平板によって構成され、
当該両面にブラシ毛群の基部が固定されている
ことを特徴とする請求項１記載の放射状ブラシ。
【請求項１５】
請求項１ないし４いずれか記載の放射状ブラシ２個を、前記植毛面同士を互いに反対方向に向けた状態で備える
ことを特徴とする放射状ブラシ。
【請求項１６】
前記ブラシ床から突出する柄部を備えるブラシである
ことを特徴とする請求項１５記載の放射状ブラシ。
【請求項１７】
前記放射状ブラシ２個の前記ブラシ床間に、所定長さの支持部を設けてある
ことを特徴とする請求項１５記載の放射状ブラシ。
【請求項１８】
前記２個のブラシ床と前記支持部が一体成形された合成樹脂製である
ことを特徴とする請求項１４記載の放射状ブラシ。
【請求項１９】
前記支持部は回転軸として機能するように構成してあり、かつ、
前記支持部を回転自在に支持する支持機構を一端部に有する柄部を設けてあるブラシである
ことを特徴とする請求項１４記載の放射状ブラシ。
【請求項２０】
前記ブラシは、人や動物の口腔内部位を磨くための歯ブラシである
ことを特徴とする請求項１９記載の放射状ブラシ。
【請求項２１】
外観形状が実質的に球形状である
ことを特徴とする請求項１５ないし２０いずれか記載の放射状ブラシ。
【発明の詳細な説明】
【技術分野】
【０００１】
本発明は、本発明は放射状ブラシに関し、詳しくは、歯ブラシや各種清掃、あるいは液体塗布等に使用可能な放射状ブラシと放射状ブラシの製造方法に関する。
【背景技術】
【０００２】
特許文献１には、半球形状頭部の外面に一端が固定された毛部が連続配列してなる放射状ブラシ（以下、「第１の従来ブラシ」という。）が開示されている。特許文献２には握り柄の先端に設けた球形状の植毛部と、直毛部から放射状に埋め込まれたブラシ毛を備える球形の放射状ブラシ（以下、「第２の従来ブラシ」という。）が示されている。特許文献３には、繊維束の中央を一組のＵ字ワイヤーで挟持して相反する方向にけん引しひねることによって固定し、繊維束繊維の弾性反発を利用して繊維の自由端を拡散展開した後、繊維束の挟持部分の一方又は両方を切除してなる放射状ブラシ（以下、「第３の従来ブラシ」という。）が記載されている。最後に特許文献４には、長尺繊維を短繊維状に切断して束ねた多数の短繊維からなる繊維束を作成し、この繊維束の長軸方向の一端側を溶融、圧縮、融着することによって、繊維は変形し繊維束の繊維間の空隙は消失すると供に溶融された繊維は圧縮変形し繊維束断面積を減少させながら溶着し一体化されてなる放射状ブラシ（以下、「第４の従来ブラシ」という。）が記述されている。この第４従来ブラシは、溶融、圧縮、融着された一端側の繊維束間空隙は消失し、更に溶融された繊維維自体も圧縮変形し断面積を減少させるので、一端側繊維束断面積と自由端繊維束断面積間に差異が生じ、一端側直近の自由端繊維束は押し広げられて放射状に拡散される。特許文献５には、内周に中空の環状溶着部を備え、環状溶着部から放射状にブラシ毛が伸びる円形ブラシ（以下、「第５の従来ブラシ」という。）が開示されている。
【先行技術文献】
【特許文献】
【０００３】
【特許文献１】特許第５３７３７６３号公報（段落００３４）
【特許文献２】特開２００１−２３８７２９号公報（段落０００５）
【特許文献３】ＷＯ２００９／０７８３４９号公報（段落０００５）
【特許文献４】特開平０６−１２３３４３号公報（段落０００５、０００６）
【特許文献５】特許第４０３７７３９号公報（段落００１３〜００１６）
【発明の概要】
【発明が解決しようとする課題】
【０００４】
しかしながら、第１の従来ブラシ及び第２の従来ブラシについて、放射状に植毛することは大変難しい作業であり当業者にとって自明事項ではない。しかし、特許文献１及び特許文献２は、ブラシ毛の植毛方法について具体的な開示がない。第２の従来ブラシは、ワイヤーを使うものであるが、繊維束を挟持した一組のＵ字ワイヤーを相反する方向にけん引しひねる作業は、理論的には可能なものであるが、これを大量生産のため機械化しようとしたとき、たいへん複雑な機構が必要となるので現実的ではない。第４の従来ブラシは、溶融による繊維の収縮を利用して収縮しない自由端を拡散させるものであるが、その拡散は３次元的に行われるため、その制御が難しいという問題点がある。さらに、第５の従来ブラシは、円形ブラシであって、そのままでは３次元放射ブラシを構成するものではない。
【０００５】
本発明は、上述した第１〜第４の従来ブラシでは達成できない、シンプルで制御が容易な放射状ブラシを提供することを目的とする。なお、第５の従来ブラシは放射状ブラシを構成するものでないことは上述した通りであるが、本発明に係る放射状ブラシに必要な技術の一部は、第５の従来ブラシに係る技術の応用であってもよい。この点は、後述する。
【課題を解決するための手段】
【０００６】
上記目的を達成するため、本発明は、次の構成を備えている。なお、いずれかの請求項記載の発明を説明するに当たって行う用語の定義等は、記載順等に関わらず、かつ、その性質上可能な範囲において他の請求項記載の発明にも適用があるものとする。
【０００７】
（請求項１記載の発明の特徴）
請求項１記載の発明に係る放射状ブラシ（以下、適宜「請求項１のブラシ」という）は、ブラシ床と、複数のブラシ体と、を有する放射状ブラシである。当該ブラシ床は、実質的に半球形状の植毛面と、当該植毛面上に相互に周方向所定間隔を隔てた複数の仮想経線に沿って設けられた複数の床側取付け構造と、を備えている。植毛面は、完全に半球形状である必要な必ずしもなく、たとえば、楕円球や楕円体の一部に類する形状や、多少の凹凸や平面を含む形状であっても、これらは実質的半球形状に含まれる。当該ブラシ体の各々は、当該床側取付け構造各々に対応するブラシ基部と、当該ブラシ基部から放射状に延びるブラシ毛群と、当該床側取付け構造との協働により当該ブラシ体を当該ブラシ床に取付けるためのブラシ側取付け構造と、を備えている。当床側取付け構造へのブラシ側取付け構造の取付けは、たとえば、いずれか一方もしくは双方が含む接着剤層や溶着層のほか、物理的な嵌合構造、さらに、これらの組み合わせ構造の作用によるものがある。なお、ブラシ毛群のブラシ毛密度はいずれの部位においても均等とすることもできるが、ブラシの用途や構造上の要請などに応えるため不均等とすることもできる。
【０００８】
請求項１のブラシによれば、栗のイガのように等間隔に並ぶブラシ毛ではなく、仮想経線状に並ぶ複数筋のブラシ毛群によって放射状ブラシが形成される。ブラシ毛もしくはブラシ毛小束を逐次植毛するのではなく、ブラシ床への取付けをブラシ体単位で一括して行うため、簡単に製造でき大量生産になじみ易い。したがって、上記構造によれば、放射状ブラシを大量かつ安価に製造することができる。
【０００９】
（請求項２記載の発明の特徴）
請求項２記載の発明に係る放射状ブラシ（以下、適宜「請求項２のブラシ」という）は、請求項１のブラシの好ましい態様として、前記床側取付け構造各々は、前記仮想経線各々に沿って形成された複数の取付け溝を含めて構成され、かつ、前記ブラシ側取付け構造各々は、当該取付け溝に圧入可能な扇形状の前記ブラシ基部により構成されている。
【００１０】
請求項２のブラシによれば、請求項１のブラシの作用効果が、取付け溝とブラシ基部の間の圧入に伴う挟持によって生じる。取付け溝にブラシ基部を圧入するだけのシンプルな構造でありながら、放射状ブラシを生産し使用するために十分な機能を発揮する。
【００１１】
（請求項３記載の発明の特徴）
請求項３記載の発明に係る放射状ブラシ（以下、適宜「請求項３のブラシ」という）は、請求項１または２のブラシの好ましい態様として、前記ブラシ基部は、前記取付け溝に圧入された状態で、固定手段により前記ブラシ床に固定されている。
【００１２】
請求項３のブラシによれば、請求項１または２のブラシの作用効果に加え、ブラシ床に対するブラシ体の取付けをより強固なものとすることができる。
【００１３】
（請求項４記載の発明の特徴）
請求項４記載の発明に係る放射状ブラシ（以下、適宜「請求項４のブラシ」という）は、請求項１ない３いずれかのブラシの好ましい態様として、前記ブラシ毛群は、前記ブラシ基部の両端近傍部位におけるブラシ毛密度が当該両端近傍部位以外の部位におけるブラシ毛密度よりも疎となるように構成されている。
【００１４】
請求項４のブラシによれば、請求項１ないし３いずれかのブラシの作用効果に加え、両端近傍部位のブラシ毛が過度に密集することを防止することができる。ブラシ体が仮想経線の上に配されているため、ブラシ体の両端近傍部位においてブラシ体の両端同士が近接し、この結果、ブラシ毛群が過度に密集する場合がある。この密集がブラシ毛圧の不均衡や磨き辛さなどの悪影響を及ぼす恐れがあるとき、両端近傍部位のブラシ毛密度を疎にしてブラシ毛密度を調整する。
【００１５】
（請求項５記載の発明の特徴）
請求項５記載の発明に係る放射状ブラシ（以下、適宜「請求項４のブラシ」という）は、請求項２ないし４いずれかのブラシの好ましい態様として、前記ブラシ毛群は、合成樹脂製のブラシ毛素線の集合体であって、前記ブラシ基部は、ブラシ毛群の一端を溶着することにより形成されている。ここで、溶着とは、ブラシ毛群の一端を熱で溶かして接着させることをいい、たとえば、高周波溶着、熱溶着、超音波溶着などの方法がある。
【００１６】
請求項５のブラシによれば、請求項２ないし４いずれかのブラシの好ましい態様として、溶着というシンプルな工程によって簡易にブラシ基部を形成することができる。
【００１７】
（請求項６記載の発明の特徴）
請求項６記載の発明に係る放射状ブラシ（以下、適宜「請求項６のブラシ」という）は、請求項４または５のブラシの好ましい態様として、前記ブラシ基部の扇形状の内周面及び両端面には、それぞれ機械的な切断跡が存する。
【００１８】
請求項６のブラシによれば、請求項４または５のブラシの作用効果に加え、ブラシ体の製造をさらに容易に、かつ、高精度にすることができる。すなわち、ブラシ毛の一端を溶着すると、たとえば、溶着前の溶融条件やブラシ毛の収縮度の違いなどによってはブラシ毛の長さが不揃いになる恐れがあるが、不揃いのままでは取付け溝に圧入しづらいことが起こるかもしれない。そのような恐れを払しょくして効率よい取付けを行うため、ブラシ基部の内周面を半円形状（扇形状）に切断する。この結果、内周面に切断跡（内周切断跡）が存することになる。また、取付け溝に圧入しやすいようにブラシ基部の周方向長さを切断調整した結果、ブラシ基部の両端面にも切断跡（端部切断跡）が存することになる。さらに、ブラシ基部が半円形状であるなら、円形状から２個取りする目的で、まず、円形のブラシ基部を製造してから中心を円形に切断する（円形内周面に切断跡が形成される）。さらに、これを２つに等分断すれば、それぞれの両端部に端部切断跡が形成される。この方法によれば、各々内周面及び両端に切断跡を有する半円形状のブラシ基部を同時に２個製造することができるので、たいへん経済的である。
【００１９】
（請求項７記載の発明の特徴）
請求項７記載の発明に係る放射状ブラシ（以下、適宜「請求項７のブラシ」という）は、請求項２のブラシの好ましい態様として、前記ブラシ基部には、長さ方向に間隔を隔て厚み方向に貫通する複数の貫通孔または反放射方向に開口する切欠きが形成してあり、前記ブラシ毛群は、ブラシ毛素線の集合体であって、当該ブラシ毛素線の小束を当該貫通孔または切欠きの各々に貫通させた状態で略Ｕ字状または略コの字状となるように両端を前記放射方向に折り曲げたままで前記ブラシ基部に固定する固定構造を備える。固定構造は、たとえば、接着剤によって構成される接着層や溶着によって形成された溶着層、物理的な固定構造、さらに、複数の要素や構造の組み合わさったものが該当する。
【００２０】
請求項７のブラシによれば、請求項２のブラシの好ましい態様として、ブラシ毛素線の小束が貫通孔または切欠きと固定構造の作用によってブラシ基部によって確実に保持されるので、ブラシ毛素線が簡単に抜け落ちることが未然防止される。用途によっては、高いブラシ毛圧が必要な場合は、ブラシ毛素線の引き抜き方向に強い力が働くことがあるが、特にそのような用途に向いている。
【００２１】
（請求項８記載の発明の特徴）
請求項８記載の発明に係る放射状ブラシ（以下、適宜「請求項８のブラシ」という）は、請求項７のブラシの好ましい態様として、前記固定構造は、前記ブラシ毛素線の集合体それぞれを両面から押え固定するために前記ブラシ基部に嵌合した断面略Ｕ字状の押え部材を備え、当該押え部材は、前記ブラシ基部に嵌合させた状態で前記取付け溝に圧入可能な半円形状に構成されている。
【００２２】
請求項８のブラシによれば、請求項７のブラシの作用効果が、押え部材の押え作用によって実現される。すなわち、ブラシ毛素線の小束のそれぞれが押え部材によってブラシ基部に押え固定されることは、固定作業を一括して行うことを可能とするとともに、その押え作用とともに、取付け溝への圧入作業を容易にすることができる。なお、必要に応じて、固定構造として接着剤により構成される接着層を、固定構造として併用することを妨げない。
【００２３】
（請求項９記載の発明の特徴）
請求項９記載の発明に係る放射状ブラシ（以下、適宜「請求項９のブラシ」という）は、請求項１のブラシの好ましい態様として、前記ブラシ基部各々は、扇形状のブラシ基部本体と、前記ブラシ毛群を並列状態で保持するブラシ保持部材を備えている。当該ブラシ基部本体各々の放射方向側には、円周方向に延びる溝底と当該溝底両端から対向起立する両側壁に囲まれた取付け溝が形成され、当該ブラシ保持部材各々は、当該取付け溝各々の溝底上に設置可能に形成されている。前記ブラシ毛群は、当該ブラシ保持部材が当該溝底上に設置された際に両先端が放射方向に向くように当該両側壁に案内される。ブラシ保持部材各々は、溝底各々もしくは両側壁などへ固定するように構成することができ、そうすれば、組み立てをより簡単にすることができる。
【００２４】
請求項９のブラシによれば、請求項１のブラシにおけるブラシ毛群は、まずブラシ保持部材によって保持された状態で取付け溝ないに設置される。この設置の際にブラシ毛群は両側壁に案内されて屈曲し両先端が放射方向に向く。
【００２５】
（請求項１０記載の発明の特徴）
請求項１０記載の発明に係る放射状ブラシ（以下、適宜「請求項１０のブラシ」という）は、請求項９のブラシの好ましい態様として、前記ブラシ毛保持部材各々は、一方のベルト層と他方のベルト層の２層を積層してなり、前記ブラシ毛群は当該一方のベルト層と他方のベルト層とのの間に配されている。
【００２６】
請求項１０のブラシによれば、ブラシ毛群が一方のベルト層と他方のベルト層の間に配されるので、その保持が確実となる。したがって、特に組み立て時の作業効率を高める効果がある。
【００２７】
（請求項１１記載の発明の特徴）
請求項１１記載の発明に係る放射状ブラシ（以下、適宜「請求項１１のブラシ」という）は、請求項１０のブラシの好ましい態様として、前記ブラシ毛保持部材各々は、溶着もしくは接着層を介し前記ブラシ毛群に固定されている。
【００２８】
請求項１１のブラシによれば、請求項１０のブラシに比べ、溶着もしくは接着層の作用によって、よりその保持が確実となり、それだけ組み立て時の作業効率を高めることができる。
【００２９】
（請求項１２記載の発明の特徴）
請求項１２記載の発明に係る放射状ブラシ（以下、適宜「請求項１２のブラシ」という）は、請求項９ないし１１いずれかのブラシの好ましい態様として、前記ブラシ基部各々は、さらに、固定部材を含み、当該固定部材は、略U字状のU字部材本体と、当該U字部材本体の両先端部位から互いに向かい合って突出して前記ブラシ側取付け構造として機能する一対の係合爪を含めて構成され、前記床側取付け構造各々は、前記ブラシ基部各々が取付けられた際に当該両係合爪と係合する一対の係合孔を含めて構成されている。
【００３０】
請求項１２のブラシによれば、請求項９ないし１１いずれかのブラシにおいて、ブラシ床へのブラシ体の取付けが一対の係合爪と、これらと係合する一対の係合孔という非常にシンプルな構造によって達成される。
【００３１】
（請求項１３記載の発明の特徴）
請求項１３記載の発明に係る放射状ブラシ（以下、適宜「請求項１３のブラシ」という）は、請求項１２のブラシの好ましい態様として、前記Ｕ字部材本体各々には、前記両係合爪の内側の中間部位に、互いに向かい合って突出する一対の係止爪が形成され、当該一対の係止爪は、前記ブラシ基部本体の反放射方向側の端面に当接することにより前記ブラシ保持部材を前記ブラシ基部本体に固定するように構成されている。
【００３２】
請求項１３のブラシによれば、一対の係止爪とブラシ基部本体との相互作用によりブラシ保持部材をブラシ基部本体に固定することができる。
【００３３】
（請求項１４記載の発明の特徴）
請求項１４記載の発明に係る放射状ブラシ（以下、適宜「請求項１４のブラシ」という）は、請求項１のブラシの好ましい態様として、前記ブラシ基部各々は、溝底と当該溝底両端から対向起立する両側壁に囲まれた取付け溝と、当該取付け溝各々の溝底上に設置されるブラシ保持部材と、を備え、当該ブラシ保持部材は扇形状の両面を有する平板によって構成され、当該両面にブラシ毛群の基部が固定されている。
【００３４】
請求項１４のブラシによれば、ブラシ保持部材の両面にブラシ毛群を固定することになるので、ブラシ保持部材の端面（植毛面）から直接起立させる場合に比べ接触面積を広くすることができる。接触面積が広くなればその分引っ張り力に抗する力が大きくなるので、抜け毛の少ないしっかりとしたブラシとすることができる。
【００３５】
（請求項１５記載の発明の特徴）
請求項１５記載の発明に係る放射状ブラシ（以下、適宜「請求項１５のブラシ」という）は、請求項１ないし１４いずれかのブラシの好ましい態様として、請求項１ないし１４いずれか記載の放射状ブラシ２個を、前記植毛面同士を互いに反対方向に向けた状態で備える。もともと別のブラシ床を２つ合体させた実質的な球形状を形成してもよいし、最初から実質的な球形状に形成してもよい。
【００３６】
請求項１５のブラシによれば、請求項１ないし１４いずれかのブラシの作用効果に加え、全方向型の放射状ブラシを得る。全方向型のブラシにすることにより、たとえば、歯ブラシのように、回転させながら使用するブラシとして好適に用いることができる。
【００３７】
（請求項１６の発明の特徴）
請求項１６の発明に係る放射状ブラシ（以下、適宜「請求項１６ブラシ」という）は、請求項１５ブラシの好ましい態様として、前記ブラシ床から突出する柄部を備えるブラシである。
【００３８】
請求項１６のブラシによれば、請求項１５のブラシの作用効果に加え、柄部を持ってブラシを操作することが可能になる。これにより、磨きづらいところでも磨けるようになるなど、使用用途を広くすることができる。
【００３９】
（請求項１７記載の発明の特徴）
請求項１７記載の発明に係る放射状ブラシ（以下、適宜「請求項１７のブラシ」という）は、請求項１５のブラシの好ましい態様として、前記ブラシ床と、前記他のブラシ床との間に所定長さの支持部を設けてある。
【００４０】
請求項１７のブラシによれば、請求項１５のブラシの作用効果に加え、支持部を有することにより、放射状ブラシの用途を拡大することができる。すなわち、支持部に、たとえば、柄やハンドルを取り付けることにより、ブラシ毛に影響を与えずに放射ブラシを保持できるようになる。
【００４１】
（請求項１８記載の発明の特徴）
請求項１８記載の発明に係る放射状ブラシ（以下、適宜「請求項１８のブラシ」という）は、請求項１７のブラシの好ましい態様として、前記２個のブラシ床と前記支持部が一体成形された合成樹脂製である。
【００４２】
請求項１８のブラシによれば、請求項１７のブラシの作用効果に加え、２個のブラシ床と支持部が合成樹脂を一体成形したものであることから、これらを組み立てる手間が省けるので、製造がより簡単になる。
【００４３】
（請求項１９記載の発明の特徴）
請求項１９記載の発明に係る放射状ブラシ（以下、適宜「請求項１９のブラシ」という）は、請求項１８のブラシの好ましい態様として、前記支持部は回転軸として機能するように構成してあり、かつ、前記支持部を回転自在に支持する支持機構を一端部に有する柄部を設けてある。
【００４４】
請求項１９のブラシによれば、請求項１８のブラシの作用効果に加え、柄部に対しブラシを回転自在とすることができる。これにより、放射状ブラシを、より広い用途に使用することができる。
【００４５】
（請求項２０記載の発明の特徴）
請求項２０記載の発明に係る放射状ブラシ（以下、適宜「請求項２０のブラシ」という）は、請求項１９のブラシの好ましい態様として、前記ブラシは、人や動物の口腔内部位を磨くための歯ブラシである。
【００４６】
請求項２０のブラシ体によれば、請求項１９のブラシの作用効果に加え、これを歯ブラシに使用して、各歯ブラシの特徴を保持しながら口腔内の歯等を傷つけずに効率よく磨きもしくはブラッシングすることができる。
【００４７】
（請求項２１記載の発明の特徴）
請求項２１記載の発明に係る放射状ブラシ（以下、適宜「請求項２１のブラシ」という）は、請求項１５ないし２０いずれかのブラシの好ましい態様として、外観形状が実質的に球形状である。
【００４８】
請求項２１のブラシによれば、請求項１５ないし２０いずれかのブラシの作用効果に加え、放射状ブラシの外観形状が実質的に球形状になるため、美感的に優れたブラシを提供することができる。
【発明の効果】
【００４９】
本発明によれば、シンプルで制御が容易な放射状ブラシを提供することができる。
【図面の簡単な説明】
【００５０】
【図１】第１の形態に係る放射状ブラシの正面図です。
【図２】第１の形態に係る放射状ブラシの平面図である。
【図３】第１の形態に係る放射状ブラシの分解斜視図である。
【図４】第１の形態に係るブラシ床の斜視図である。
【図５】第１の形態に係るブラシ床の平面図である。
【図６】第１の形態に係るブラシ体の製造工程を示す概略図である。
【図７】第１の形態に係るブラシ体の製造工程を示す概略正面図である。
【図８】第２の形態に係る放射状ブラシの平面図である。
【図９】第３の形態に係る放射状ブラシの斜視図である。
【図１０】第３の形態に係る放射状ブラシの平面図である。
【図１１】第３の形態に係る放射状ブラシの展開斜視図である。
【図１２】変形例に係るブラシ体の斜視図である。
【図１３】変形例に係るブラシ体の製造手順を示す分解斜視図である。
【図１４】押え部材とブラシ体の斜視図である。
【図１５】押え部材を嵌合したブラシ体の正面図である。
【図１６】第４の形態に係るブラシ体の分解斜視図である。
【図１７】図１６に示すブラシ体の製造手順を示す社伊豆である。
【図１８】図１６に示すブラシ体をした斜めから見た分解斜視図である。
【図１９】第４の形態に係る放射状ブラシの部分破断図である。
【図２０】図１９に示す放射状ブラシの分解斜視図である。。
【図２１】第４の形態に係るブラシ床の平面図である。。
【図２２】図２１に示すブラシ床の側面図である。
【図２３】第４の形態の変形例に係るブラシ体の分解斜視図である。
【図２４】図２３に示すブラシ体のＸ−Ｘ断面図である。
【図２５】第５の形態に係る放射状ブラシの分解斜視図である。
【図２６】図２４に示すブラシ体の正面図である。
【図２７】応用例に係る放射状ブラシの分解斜視図である。
【図２８】応用例に係る放射状ブラシの斜視図である。
【発明を実施するための形態】
【００５１】
各図に基づき、発明を実施するための形態（以下、適否「本実施形態」という）について説明する。本実施形態に係る放射状ブラシは、５つの形態、１つの変形例、および１つの応用例に分かれている。本実施形態の第１の形態は、植毛面が実質的に半球形状の放射状ブラシであり、同じく第２及び第３の形態は、植毛面が実質的に球形状の放射状ブラシである。同じく応用例は、放射状ブラシを用いた歯ブラシである。以下、順次説明する。
【００５２】
（第１の形態）
各図を参照しながら、本実施形態の第１の形態について説明する。ここで説明するのは、実質的に半球形状の放射状ブラシである。
【００５３】
（放射状ブラシの概略構造）
第１の形態に係る放射状ブラシ１は、図１〜７に示すように、ブラシ床３と複数（第１の形態では５個）のブラシ体７から概ね構成されている。ブラシ床３は、実質的に半球形状の植毛面３ａと、植毛面３ａとともにブラシ床３の全体を形成する内面３ｂを有している。
【００５４】
（ブラシ床の構造）
ブラシ床３の植毛面３ａ上には、相互に周方向所定間隔を隔てた複数の仮想経線（図示せず）に沿って各々配された取付け溝（床側取付け構造）１１と、が設けられている。もともと経線とは、地球上の位置をきめるために、北極と南極を結んで地球の表面にひいた、経度を示す仮想の線のことをいうが、半球形状のブラシ床３に北極と南極のそれぞれに対応する仮想点をおき両仮想点を結んだ仮想線のことを、本明細書では仮想経線とよぶ。図５に示す仮想点Ｐが一方の極に該当する点であり、他方の仮想点は同図の裏側に位置する。内面３ｂは平面であり、垂直方向に柄部５が突き出している。ブラシ床３と柄部５は、第１の形態では合成樹脂を一体成形して構成されている。
【００５５】
ブラシ床３と柄部５は、もともと別体だったものを一体化するなど、上記以外のいずれの構成手段の採用を妨げない。また、取付け溝１１は、成形時に形成する場合の他、溝なしの半球形状のブラシ体３を成形しておき、その後に取付け溝１１を形成してもよいし、これ以外の方法で形成してもよい。なお、ブラシ床３の大きさは、完成品である放射状ブラシ１の用途に合わせて設定すべきことは言うまでもない。合成樹脂の代わりに金属や合成樹脂と金属等を組み合わせてブラシ床３を構成する場合は、その素材に応じた方法を適宜選択して採用することができる。
【００５６】
（ブラシ体の構造）
図１〜３に示すように、ブラシ体７の各々は、床側取付け構造として機能する取付け溝１１に取り付けるためのブラシ基部（ブラシ側取付け構造）２１と、ブラシ基部２１から放射状に延びるブラシ毛群２３を備えている。ブラシ床３の植毛面３ａが半球形状であるため（図５）、これに取付けられるようにブラシ基部２１はアルファベットのＣに似た半円形状に形成されている。そして、このブラシ基部２１の外周面から放射状にブラシ毛群２３が突き出し、全体として扇型のブラシ体７が形成される。第１の形態では、ブラシ毛群２３は合成樹脂のブラシ毛素線の集合体であり、ブラシ基部２１は、ブラシ毛群２３の一端を溶着することにより形成する。溶着以外の方法を妨げないが、後述するように、溶着を用いたブラシ体７の製造方法によれば、効率的にブラシ体７の製造を行うことができる。
【００５７】
なお、第１の形態では、図１〜３に示すように、ブラシ毛素線１本１本がブラシ基部２１の長さ方向に１列に並んで植毛されているが、これが複数列であったりランダムであったりしてもよい。さらに、ブラシ毛素線１本１本が、図示は省略するがより細いブラシ素線を束ねたものであってもよい。加えて、第１の形態では、ブラシ毛素線の１本１本を同じ長さと太さに形成してあるが、必要に応じて、それぞれを異ならせることを妨げない。さらに、ブラシ毛群２３のブラシ毛密度は、ブラシ基部２１の全域にわたって均等であることが一般的であるが、その使用用途や使用者嗜好などに合わせ部位によって異ならせることを妨げない。
【００５８】
たとえば、図示はしないが、ブラシ基部２１の両端近傍部位におけるブラシ毛密度を当該両端近傍部位以外の部位におけるブラシ毛密度よりも疎となるように構成すると、仮想経線の上に配されているブラシ体２１の両端近傍部位においてブラシ体２１の両端同士が近接することになるためブラシ毛群２３が過度に密集する場合がある。この密集がブラシ毛圧の不均衡や磨き辛さなどの悪影響を及ぼす恐れがあるとき、両端近傍部位のブラシ毛密度を疎にしてブラシ毛密度を調整することができる。
【００５９】
ブラシ基部２１は、ブラシ床３が有する取付け溝１１より僅かに肉厚に形成してあり、これにより、各取付け溝１１への各ブラシ基部２１の取付けは圧入によって行うようになっている。ブラシ床３は合成樹脂製であるから、ブラシ基部２１が取付け溝１１に圧入される際に、適度に弾性変形し圧入後に復帰してブラシ基部２１をしっかりと挟持するようになっている。補強のため必要であれば、取付け溝１１へ圧入した状態のブラシ床３を、たとえば接着剤によってブラシ床３に接着するなど何らかの方法で固定するようにしてもよい。ブラシ床３にすべてのブラシ体７を取り付けところで放射状ブラシ１が完成する。
【００６０】
（ブラシ体製造装置）
図６及び７を参照しながら、ブラシ体製造装置３１を用いたブラシ体１１の製造方法を説明する。ブラシ体製造装置３１は、テーブル３３、チャック３７、コーン部材３９、押え筒体４１、溶着装置４３、円形切断装置４５、直線分断装置４７およびこれらを適宜駆動する駆動装置（図示を省略）を備えている。
【００６１】
テーブル３３は、縦方向にブラシ毛群２３を通す円形の挿通孔３５を備えている。チャック３７は、テーブル３３の下方領域に位置しブラシ毛群２３を開放可能に挟持して上下動させる機能を備える（図６（ａ））。コーン部材３９は、逆さ円錐形の先端部３９ａを備え、テーブル３３の挿通孔３５との上方に挿通孔３５と先端部３９ａが同心状となるように配してある。コーン部材３９は、チャック３７の上昇に伴いテーブル３３の挿通孔３５から上方に突き出したブラシ毛群２３の中央に差し込まれ、これによりブラシ毛群２３が放射方向に押し開かれるようになっている（図６（ａ））。押え筒体４１は、円筒形状の部材であり、テーブル３３の上方に設けられている。押え筒体４１は、押し開かれたブラシ毛群２３をテーブル３３の上面の上に押し付け固定する役目を担う（図６（ｂ））。
【００６２】
溶着装置４３は、テーブル３３の上方にあり、下向き円錐形状の溶着先端部４３ａを中心とする円形形状の底辺を有する。溶着装置４３は、ブラシ毛群２３をテーブル３３に固定した状態でブラシ毛群２３の中心部分を溶着する手段である（図６（ｃ））。第１の形態では、超音波を利用した溶着を行うようになっているが、熱溶着や化学的溶着等を適宜採用してよい。溶着部分の一部は、後述のとおりブラシ基部２１となる。円形切断装置４５は、下端の外周面が中心線に対して下端に向かって先細り傾斜する短尺円錐面４５ａを有し、この短尺円錐面４５ａの最大外径は挿通孔３５ａの内径よりも大径になっていて、下降時にテーブル３３の円形の挿通孔３５の上端周縁３５ａとの間にブラシ毛群２３を挟んで円形切断するための装置である（図６（ｄ））。直線分断装置４７は、円形切断装置４５による円形切断して得たドーナツ状のブラシ体素材（後述）を２分割するための分割装置である（図６（ｄ））。
【００６３】
（ブラシ体製造方法）
図６及び７を参照しながら、ブラシ体製造装置３１を用いたブラシ体製造方法について説明する。先ず、図６（ａ）に示すように、熱可塑性樹脂製のブラシ毛素線（第１の形態ではナイロン）を断面が円形に近くなるように束状に集合させてなるブラシ毛群２３をつくり、これをチャック３７に挟持させる。この状態でチャック３７を上昇させると、ブラシ毛群２３の一部がテーブル３３の挿通孔３５から上方に突出した状態で保持される。このとき、図示は省略するが挿通孔３５から突き出したブラシ毛群２３は起立状態にある。
【００６４】
次に、図６（ａ）に示すように、コーン部材３９が下降し、その先端部３９ａが起立状態にあるブラシ毛群２３の中心に差し込まれてブラシ毛群２３が放射方向に押し開かれる。これに続いて、図６（ｂ）に示すように、コーン部材３９はそのままで、その周りを囲むように円筒形状の押え筒体４１が下降してブラシ毛群２３が押し開かれた状態でテーブル３３上に固定される。押え筒体４１は放射方向に押し開かれたブラシ毛群２３の中心部やや外側を押え、押えた状態でコーン部材３９のみを上方に後退させ、さらに、側方に移動させて押え筒体４１の上方領域を自由空間にする。
【００６５】
続いて、図６（ｃ）に示すように、溶着装置４３をブラシ毛群２３の中心真上位置にまで移動させて押え筒体４１の内部に降下させる。押し広げられたブラシ毛群２３の中心の円錐ゾーンに溶着先端部４３ａを合わせつつ溶着装置４３をブラシ毛群２３の中心周縁部位の上に着座させる。このとき、ブラシ毛群２３の中心周縁部位２５は、テーブル３３の上にある。すなわち、中心周縁部位２５は、溶着装置４３とテーブル３３に挟まれた状態にある。ここで、溶着装置４３を駆動して押し開かれた状態のブラシ毛群２３の中心部周縁２５を環状に溶着する。
【００６６】
溶着後は溶着装置４３を上方に後退させ、さらに側方に移動させて押え筒体４１の上方領域を自由空間にする。これに続いて円形切断装置４５をブラシ毛群２３の中心真上位置にまで移動させ押え筒体４１の内部に下降させる。この下降により、円形切断装置４５の短尺円錐面４５ａが挿通孔３５の上端周縁３５ｂとの間にブラシ毛群２３の溶着部を挟み、さらなる下降によってこれを円形切断する。切断後も、テーブル３３上にあった中心周縁部位２５は残り、そこから放射状にブラシ毛群２３が伸びた状態にある。この状態のブラシ体を環状ブラシ体（図示を省略。図７は分断後を示す）とよぶ。それに続き、円形切断装置４５を押え筒体４１とともにテーブル３３上から退去させ、環状ブラシ体を露出させる。最後に、上から見たとき円形ブラシ体の中心を通過する位置まで直線分断装置４７を移動させてから下降させ、環状ブラシ体を中心周縁部位２５とともに２分割する（図７）。２分割により、１個の環状ブラシ体から２個のブラシ体３を得る。以上の工程を繰り返すことにより、ブラシ体３の大量生産が可能になる。なお、ブラシ体製造装置３１は、直線分断装置４７による環状ブラシ体の分割工程を含むがこれを省略し、環状ブラシ体の製造工程まで行うようにしてもよい。この場合に、分断工程だけ、多数の環状ブラシ体をまとめて行うことになる。他の工程との関係もあるが、一般的に、まとめて分断すれば、より効率的な作業が期待できる。
【００６７】
分割によって得たブラシ体３は、上記工程を経ていることから、図７に示すような内周切断面２１ａを１面と、端部切断面２１ｂを２面と、を備えている（他の切断による切断面が含まれる場合もある）。内周切断面２１ａに存する切断跡は、円形切断装置４５を用いた円形切断によって形成されたものであるが、この切断跡は、切断装置や切断方法等の違いによってさまざまである。同様に、端部切断面２１ｂに存する切断跡は、直線分断装置４７を用いた直線分断によって形成されたものであるが、この切断跡も切断装置や切断方法によって異なる。なお、第１の形態では、ブラシ体３が半径形状であるため環状ブラシ体から２個取りしているが、分断角度を変更することにより、同じ形状のものを３個以上、取れるようにしてもよい。
【００６８】
（第２の形態）
図８を参照しながら、本実施形態の第２の形態について説明する。ここで説明する放射状ブラシ５１は、第１の形態で用いた放射状ブラシ１を２個、植毛面同士を反対方向に向けた状態で備える構造と同等の構造を備えている。すなわち、放射状ブラシ５１は、実質的に半球形状の植毛面３´ａ同士を互いに反対方向に向け背中合わせ状態のブラシ床３´を２個分備え、各取付け溝１１´にブラシ体７´が圧入されている。２個のブラシ床３´は、実質的に球形状を構成する。この球形状のブラシ床は、２個の半球形状のブラシ床を合体させて構成してもよいし、実質的に球形状のブラシ床を製造し、これにより構成してもよい。ブラシ体７´は、先に述べたブラシ体７と同等構造を備え、ブラシ体７´各々が有するブラシ毛の長さをほぼ同じに形成してある。このため、放射状ブラシ５１の外観形状は、実質的に球形状になっている。なお、符号５´は、ブラシ床３´から突出する柄部を示す。使用者は、柄部５´を持ってブラシを操作することが可能になる。これにより、磨きづらいところでも磨けるようになるなど、使用用途を広くすることができるので便利である。
【００６９】
（第３の形態）
図９〜１１を参照しながら、第３の形態に係る放射状ブラシを説明する。放射状ブラシ７１が第２の形態に係る放射状ブラシ５１と異なる点は、放射状ブラシ５１が有していない支持部を放射状ブラシ７１が有している点である。以下、この異なる点を中心に説明を行い、両ブラシ間で共通する点については重複を避けるために説明を省略する。これと同趣旨で、図８で用いた符号と同じ符号を、可能な半柄で図９ないし１１で使用する。
【００７０】
図９〜１１に示すように、放射状ブラシ７１は、放射状ブラシ１´を２個、植毛面同士を反対方向に向けた状態で備える構造と同等の構造を備えている。その上で、一方の放射状ブラシ１´の内面３´ｂと、他方の放射状ブラシ１´の内面３´ｂを対向させ両者間に所定長さの支持部７５を設けてある。これら２個の放射状ブラシ１´と支持部７５を備えるブラシ床のことを、以下ではブラシ床７３という。ブラシ床７３は、一体成形した合成樹脂製が好ましい。組み立ての手間が省けるし、材料コストも安価であるからである。なお、支持部７５の断面形状は、基本的にどの形状でもよいが、ここでは、円形とした。支持部７５に柄部（図示を省略）を設けることもできる。
【００７１】
（ブラシ体の変形例）
図１２および１３を参照しながら、第１〜第３の形態に用いることのできるブラシ体の変形例（以下、「本変形例」という）を説明する。本変形例に係るブラシ体８１は、略半円環状（扇形状）のブラシ基部８３と、ブラシ基部８３から放射状に延びるブラシ毛群８５を備えている。ブラシ基部８３には、長さ方向（円周方向）に等間隔を隔て厚み方向に貫通する複数の貫通孔８９を形成してある。ブラシ基部８３は、合成樹脂を射出成形して構成してある。ブラシ毛群８５はそれぞれを熱溶融性のブラシ毛素線８７で構成してある。なお、貫通孔８３を反放射方向に開口する切欠き（図示を省略）によって構成してもよい。
【００７２】
ブラシ基部８３の各貫通孔８９には、ブラシ毛素線８７の小束を貫通させ（図１３（ａ）、その状態で略Ｕ字状または略コの字状となるように両端を図１３（ｂ）に示す矢印ａ、矢印ｂの順で放射方向に折り曲げ、この工程を全部の貫通孔８９の全部に施したところで（図１３(C)）、各ブラシ毛素線８７を、たとえば、固定構造（図示を省略）となる溶着や接着によりブラシ基部８３に固定してブラシ体８１を完成させる（図１３（ｄ））。なお、図１２に示すように、本変形例での好ましい態様として、ブラシ基部８３の両端近傍部位とそれ以外の部位でブラシ毛素線８７の本数を異ならせ両端部位において疎となるように構成するとよい。図１０に示すようにブラシ床に取付けたときに両端近傍部位にブラシ毛群８５（ブラシ毛素線８７）が過度に密集しないようにするためである。
【００７３】
一方、上述した固定構造の代わりに、次に述べる基部カバーを固定構造とすることもできる。具体的には、図１４および１５に示す基部カバー９０が固定構造に該当する。基部カバー９０は、互いに対向する側壁９０ａと側壁９０ｂと、側壁９０ａの一端と側壁９０ｂの一端を連結する底部９０ｃとを備え、半円形状（扇形状）の外観と略Ｕ字状の断面形状を有している。ここで、図１２に示すブラシ体８１をそのままに、ブラシ体８１が有するブラシ基部８３に、基部カバー９０を嵌合してブラシ毛素線の集合体（ブラシ毛群８５）それぞれをブラシ基部８３の両面から押え固定できるように構成してある。さらに、基部カバー９０は、ブラシ側取付け構造として機能するように、ブラシ基部８３に嵌合させた状態で図２に示す取付け溝１１に圧入可能な形状に構成してある。
【００７４】
（第４の形態）
図１６ないし２２を参照しながら、第４の形態について、ブラシ体、ブラシ床の順で説明する。まず、図１６に基づき、第４に形態に係るブラシ体１０１の概略構造について説明する。ブラシ体１０１は、扇形状のブラシ基部本体１１１と、ブラシ毛群１０５を並列状態で保持するブラシ保持部材１１３と、ブラシ保持部材１１３をブラシ基部本体１１１に固定するＵ字状固定部材１１５と、を備えている。
【００７５】
ブラシ基部本体１１１は、放射方向側には、円周方向に延びる溝底１１１ａ（図１６（ａ））と、溝底１１１ａの両端から対向起立する両側壁１１１ｂ，１１１ｃに囲まれた取付け溝１１１ｇと、両底部１１１ｅ各々に取付け溝１１１ｇに沿って切り欠いたスリット１１ｄ，１１１ｄとを備えている。なお、符号１１１ｐは、位置決めピンを示す。
【００７６】
ブラシ保持部材１１３は、その全体は合成樹脂製であった、ブラシ基部１０３の取付け溝１１１ｇ（図１６（ａ））の中に設置できる幅寸法の部材本体１１３ａと部材本体１１３ａの両端に形成された抜け止め片１１３ｂ、１１３ｂにより構成してある。部材本体１１３ａと両抜け止め片１１３ｂ，１１３ｂには幅狭部１１３ｃ，１１３ｃを形成してある。幅狭部１１３ｃ，１１３ｃは、図１６及び図１９に示すように、ブラシ保持部材１１３を取付け溝１１１ｇ内に設置するとき、ブラシ基部本体１１１の両スリット１１１ｄを通過する部位であり、両抜け止め片１１３ｂ，１１３ｂは部材本体１１３ａが取付け溝１１１ｇ内から抜け出ることを防止するための部位である。
【００７７】
次に、ブラシ保持部材１１３の製造手順を説明する。製造手順の説明に当たり、ブラシ保持部材１１３は同形状の一方のベルト層１１３ｐと他方のベルト層１１３ｐの２層を積層してなるものであることを前提とする。ブラシ毛群１０５は、一方のベルト層１１３ｐと他方のベルト層１１３ｐとのの間に配されている。
【００７８】
図１７に示す金型１５１を構成する雌型１５３が有する受け溝１５３ｇの中に中型１５５を配置し、中型１５５の位置決め溝１５５ｆの中に一方のベルト層１１３ｐを設置する。中型１５５の頂部にはブラシ毛群１０５のブラシ毛素線を受け入れて整列保持するための整列溝１５５ｇが多数形成されている。この状態で整列溝１５５ｇ各々の中にブラシ毛素線を入れれば、ブラシ毛素線が整列したブラシ毛群１０５を得る。ここで、ブラシ毛群１０５の上から他方のベルト層１１３ｐを載せ、さらにその上から雄型１５７で押圧する（図１７（ａ））。中型１５５と雄型１５７は、図外のヒーターによって加熱してあるので、この加熱状態における押圧によって両ベルト層１１３ｐ，１１３ｐとブラシ毛群１０５が溶着固定される。溶着以外の、たとえば、接着剤を用いた接着層を介した固定であってもよい。このような固定を行うのは、ブラシ毛群１０５がブラシ保持部材１１３から抜け出るのを防止するためである。図１７（ｂ）は、ブラシ毛群１０５の溶着を終え金型１５１から取り出したブラシ保持部材１１３を示す。
【００７９】
ブラシ保持部材１１３により保持されたブラシ毛群１０５をブラシ基部本体１１１に設置する際、ブラシ毛群１０５がブラシ基部本体１１１の両側壁１１１ｂ，１１１ｃに邪魔されて取付け溝１１１ｇ内に入れづらいが、この状態のままブラシ保持部材１１３を取り付け溝１１１ｇ内に押下げると、ブラシ毛群１０５を強制的に屈曲させ両側壁１１１ｂ，１１１ｃの案内で両先端を放射方向に向かせることができる（図１６（ｂ））。
【００８０】
図１６および図１８〜図２０を用い、固定部材１１５について説明する。固定部材１１５は、ブラシ保持部材１１３を取付け溝１１１に固定するとともに、ブラシ体１０１をブラシ床（後述）に取付けるためのブラシ側取付け構造として機能する。固定部材１１５は、合成樹脂を成形して外観が略Ｕ字形状に形成してある。具体的な固定部材１１５は、略Ｕ字形状のＵ字部材本体１１５ａと、Ｕ字部材本体１１５ａの両先端部位から互いに向かい合って突出する一対の係合爪１１５ｂ，１１５ｂを備えている。これらの係合爪が、第４の形態におけるブラシ側取付け構造を構成する。また、Ｕ字部材本体１１３ａの両係合爪１１５ｂ，１１５ｂより内側の中間部位に、互いに向かい合って突出する一対の係止爪１１５ｃ，１１５ｃを形成することが好ましい。好ましいとする理由は、次項で説明する。
【００８１】
固定部材１１５（U字部材本体１１５ａ）は、その弾性を利用して両係合爪１１５ｂ，１１５ｂ間に離れる方向に力を加えると若干広がり、力を取り去ると弾性復帰するようになっている。この性質により、Ｕ字部材本体１１５ａをブラシ基部本体１１１に取付ける。すなわち、図１８（ａ）の状態にある固定部材１１５をブラシ基部本体１１１に向かって押下げると係合爪１１５ｂ，１１５ｂがブラシ基部本体１１１の溝底１１１ａ（図１６（ａ））に当接する。さらに押し下げると、溝底１１１ａ、より正確には溝底１１１ａの上に設置されたブラシ保持部材１１３から受ける反力によって係合爪１１５ｂ，１１５ｂが互いに離れる方向に移動させられて溝底１１１ａを通過する。引き続き、これと同じ作用により係止爪１１５ｃ，１１５ｃも溝底１１１ａを通過する。通過したところで弾性復帰し、図１８（ｂ）の部分拡大図に示すように、係止爪１１５ｃがブラシ基部本体１１１の底部１１１ｅに引っ掛かり固定部材１１５をブラシ基部本体１１１に固定する。この固定によりブラシ保持部材１１３を含むブラシ毛群１０５の固定がより確実なものとなり、ブラシ体１０１が完成する。係止爪１１５ｃ，１１５ｃを形成していないとすればこの固定は不安定なものになるが、形成すれば安定する。これが係止爪１１５ｃ，１１５ｃを形成した理由である。
【００８２】
次は、図１９ないし２２を用い、第４の形態に係るブラシ床１２１を説明する。図１９及び図２０には、２個のブラシ床１２１が植毛面同士を互いに反対方向に向けた状態で示してあるが、以下の説明は一方のブラシ床１２１のみについて行う。
【００８３】
ブラシ床１２１は、円板状の着座123、着座１２３の上の楕円ドーム部１２５と、楕円ドーム部１２５の短軸方向によって両脇にある半円筒状の受け台１２９と、を備えている。楕円ドーム部１２５の外周には、その長軸方向に沿って等間隔に並ぶ複数の仕切り突起１２７，．．が設けてあり、仕切り突起１２７，１２７間には、位置決めピン１１１ｐを差し込んでブラシ体１０１の位置決めをするための位置決め孔１３３を形成してある。受け台１２９は、取付けたブラシ体１０１を下支えするための部位であり、その開放端面には周方向に等間隔で並ぶ複数の係合孔１３１，...を備えている。この係合孔１３１各々は、ブラシ床側取付け構造の一部として、係合爪１１５ｂ各々と係合する孔である（図２０参照）。なお、楕円ドーム部１２５を水平視円形ではなく楕円とした主目的は、楕円とすることにより、楕円ドーム１２５の側面と着座１２３との間に収納空間１２４を形成するためである（図１９、２１参照）。収納空間１２４を設けることにより、ブラシ基部本体１１１の底部１１１ｅから突き出す抜け止め片１１３ｂを収納することが可能になる。
【００８４】
（第４の形態の変形例）
図２３及び図２４に、第４の形態の変形例を示す。第４の形態と第４の形態の変形例が異なる点は、第４の形態における固定部材１１５とブラシ保持部材１１３の機能を、第４の形態の変形例における固定部材１１５´が兼ね備えている点である。ブラシ基部本体１１１とその機能については、両者間で異ならない。よって、図２１及び図２２において、図１６（ａ）で使用したブラシ基部本体１１１を変更なくそのまま表示し、その説明は省略する。
【００８５】
図２３および図２４に示す固定部材１１５´は、固定部材１１５と同じく、合成樹脂を成形して外観が略Ｕ字形状に形成してある。具体的な固定部材１１５´は、略Ｕ字形状のＵ字部材本体１１５´ａと、Ｕ字部材本体１１５´ａの両先端部位から互いに向かい合って突出する一対の係合爪１１５´ｂ，１１´５ｂを備えている。また、好ましい形態として、Ｕ字部材本体１１３´ａの両係合爪１１５´ｂ，１１５´ｂより内側の中間部位に、互いに向かい合って突出する一対の係止爪１１５´ｃ，１１５´ｃを形成することが好ましい。係合爪１１５´ｂは係合爪１１５ｂと、係止爪１１５´ｃは係止爪１１５ｃと、それぞれ同等に機能を有している。
【００８６】
Ｕ字部材本体１１５´ａとＵ字部材本体１１５ａが異なる点は、後者が有していない複数の切欠き１１５´ｇを前者が有している点である。切欠き１１５´ｇ各々は、Ｕ字部材本体１１５´ａの周方向に等間隔に、かつ、扇形状の反放射方向に開口するように形成してある。切欠き１１５´ｇ各々は、そこに貫通させたブラシ毛群１０５´の小束を保持する機能を有する。切欠き１１５´ｇ各々は、これを孔によって構成してもよい。図２１に示すブラシ毛群１０５´は、切欠き１１５´ｇの各々に貫通させた後、その両端を放射方向に屈曲させた状態でＵ字部材本体１１５´ａの側面に溶着により（接直層を形成してもよい）固定してからブラシ基部本体１１１に取付けるようになっているが、この溶着を省略することを妨げない。固定部材１１５´をブラシ基部本体１１１に取付ける際の作用効果は、固定部材１１５のそれと同じであるから、その説明は割愛する。
【００８７】
（第５の形態）  
図２５および２６に、第５の形態を示す。第５の形態に係るブラシ体１４１は、図２４に示すブラシ床１２１と同じブラシ床に取付けるものである。このため、図２０に示す部材番号と同じ部材番号を図２３に示し、第５の形態ではブラシ床に関する説明を省略する。
【００８８】
ブラシ体１４１は、扇形状で平板状のブラシ基部１４３と、ブラシ基部１４３の側面に基端部が固定されたブラシ毛群１４５と、ブラシ基部１４３の両端内側から円周方向に突出する一対の固定部材１４７，１４７と、両固定部材１４７，１４７の先端部から互いに向かい合って突出する一対の係合爪１４９，１４９とを備えている。また、ブラシ基部１４３の両端を、係止爪１１５´ｃ，１１５´ｃ（図２４）と同様に機能するように生成することが好ましい。ブラシ基部１４３の両端と、両係合爪１４９，１４９の協働によってブラシ体１４１をブラシ床１２２（図２２）に確実に固定するためである。
【００８９】
（本実施形態の応用例）
ここでは、放射状ブラシ７１を応用した歯ブラシを説明する。図２７および２８に示すように、放射状ブラシ７１の支持部７５は断面円形であり、回転軸として機能するように構成してある。歯ブラシ９１は、放射状ブラシ７１と、放射ブラシ７１の支持部７５を、支持機構９３を介して回転自在に支持する柄部９５を設けてある。支持部７５は、支持機構９３の支持により、柄部９５に対し双方向回転可能に保持され、放射状ブラシ７１は、支持部７５と一体回転するように固定されている。
【００９０】
支持機構９３は、柄部９５の一端に設けられた上向き開放Ｃ形状の軸受け本体９５ａと、軸受け本体９５ａの開放部を閉鎖するために軸受け本体９５ａに対し着脱自在に形成された閉鎖部材９５ｂとから構成されている。閉鎖部材９５ｂは、軸受け本体９５ａの中に支持部７５を開放部から嵌め入れ、双方向回転を許容しつつ抜けないようにするための部材である。
【００９１】
以上の構成により、放射状ブラシ９１は、ブラシ毛群２３´が口腔内部位（図示を省略）と転がり接触することにより回転する。そうすると、口腔内部位、たとえば、上の歯と歯茎に対しブラシ毛群２３´が転がり接触するので、回転せずに摺動するだけの場合に比べこれらを傷つける可能性がきわめて低い。
【００９２】
なお、放射状ブラシ９１は、歯ブラシの用途以外の様々な用途、たとえば、顔面マッサージをするための顔面ブラシや塗料塗布や洗浄用のブラシとしても使用可能である。放射状ブラシ９１は一方向だけの回転であるが、支持部７５自体を軸回りに双方向回転できる機構を設けることにより、放射状ブラシ７１を互いに独立した２種類の回転を可能とするブラシとすることもできる。
【符号の説明】
【００９３】
１，１´            放射状ブラシ
３，３´            ブラシ床
３ａ，３´ａ        植毛面
３ｂ，３´ｂ        内面
５，５´            柄部
７，７´            ブラシ体
１１                  取付け溝（床側取付け構造）
２１                  ブラシ基部（ブラシ側取付け構造）
２１ａ                内周切断面
２１ｂ                端部切断面
２３，２３´          ブラシ毛群
２５                  中心周縁部位
３１                  ブラシ体製造装置
３３                  テーブル
３５                  挿通孔
３７                  チャック
３９                  コーン部材
３９ａ                先端部
４１                  押え筒体
４３                  溶着装置
４３ａ                溶着先端部
４５                  円形切断装置
４５ａ                短尺円錐面
４７                  直線分断装置
５１                  放射状ブラシ
７１                  放射状ブラシ
７３                  ブラシ床
７５                  支持部
８１                  ブラシ体
８３                  ブラシ基部
８５                  ブラシ毛群
８７                  ブラシ毛素線
８９                  貫通孔
９０                  基部カバー
９０ａ，９０ｂ        側壁
９０ｃ                底部
９１                  歯ブラシ
９３                  支持機構
９３ａ                保持軸受
９３ｂ                閉鎖部材
９５                  柄部
１００                  放射状ブラシ
１０１                  ブラシ体
１０３                  ブラシ基部
１０５                  ブラシ毛群
１１１                  ブラシ基部本体
１１１ａ              溝底
１１１ｂ              側壁
１１１ｃ              側壁
１１１ｄ              スリット
１１１ｅ              底部
１１１ｇ              取付け溝
１１１ｐ              位置決めピン
１１３                ブラシ保持部材
１１３ａ              部材本体
１１３ｂ              抜け止め片
１１３ｃ              幅狭部
１１３ｂ              ベルト層
１１５，１１５´      固定部材
１１５ａ，１１５´ａ              Ｕ字部材本体
１１５ｂ、１１５´ｂ              係合爪
１１５ｃ，１１５´ｃ              係止爪
１２１                ブラシ床
１２２  図２２に追加
１２３                着座
１２４                収納空間
１２５                楕円ドーム部
１２７                仕切り突起
１２９                受け台
１３１                係合孔
１３３                位置決め孔
１４１                ブラシ体
１４３                ブラシ基部
１４５                ブラシ毛
１４７                固定部材
１４９                係合爪
１５１                金型
１５３                雌型
１５３ｇ              受け溝
１５５                中型
１５５ｆ              位置決め溝
１５５ｇ              整列溝
１５７                雄型
【図１】
2016093471.tif 000003
【図２】
2016093471.tif 000004
【図３】
2016093471.tif 000005
【図４】
2016093471.tif 000006
【図５】
2016093471.tif 000007
【図６】
2016093471.tif 000008
【図７】
2016093471.tif 000009
【図８】
2016093471.tif 000010
【図９】
2016093471.tif 000011
【図１０】
2016093471.tif 000012
【図１１】
2016093471.tif 000013
【図１２】
2016093471.tif 000014
【図１３】
2016093471.tif 000015
【図１４】
2016093471.tif 000016
【図１５】
2016093471.tif 000017
【図１６】
2016093471.tif 000018
【図１７】
2016093471.tif 000019
【図１８】
2016093471.tif 000020
【図１９】
2016093471.tif 000021
【図２０】
2016093471.tif 000022
【図２１】
2016093471.tif 000023
【図２２】
2016093471.tif 000024
【図２３】
2016093471.tif 000025
【図２４】
2016093471.tif 000026
【図２５】
2016093471.tif 000027
【図２６】
2016093471.tif 000028
【図２７】
2016093471.tif 000029
【図２８】
2016093471.tif 000030